(57)【要約】【課題】原稿搬送経路の合流部のジャム解消の作業性及び視認性に優れた画像形成装置を提供すること。  【解決手段】  原稿の両面の画像を読み取る原稿読取装置を備えた画像形成装置５０に関する。原稿載置部からの原稿搬送経路Ｌと、原稿反転部からの搬送経路Ｋが合流する合流部分には両搬送経路を隔てる合流ガイド板１００が設けられており、合流ガイド板１００は装置本体にヒンジ結合され回動時に下ガイド板に接触しない寸法の第１のガイド板部材１０１と、前記第１のガイド板部材にヒンジ結合された第２のガイド板部材１０２とを備えている。前記第２のガイド部材には、装置本体に形成され、前記ガイド部材の移動経路を規定する案内部材に案内される案内係止部を備える。【選択図】  図４
2006036514.tif 000002
【特許請求の範囲】
【請求項１】
シート載置部からのシート搬送経路と、シート反転部からの搬送経路が合流部分で合流し、この合流部分には両搬送経路を隔てる合流ガイド板が設けられているシート搬送装置において、
前記合流ガイド板は装置本体に回動可能に取り付けられた第１のガイド板部材と、前記第１のガイド板部材に回動可能に取り付けられた第２のガイド板部材とを備えたことを特徴とするシート材搬送装置。
【請求項２】
前記合流ガイド板の下流側には、シートを下流に導く下ガイド板を備え、前記第１のガイド板部材は回動時に前記下ガイド板に接触しない寸法に構成されたことを特徴とする請求の範囲１のシート材搬送装置。
【請求項３】
前記第１のガイド板部材は、装置本体にヒンジ結合されていることを特徴とする請求の範囲１または２のシート材搬送装置。
【請求項４】
前記第２のガイド部材は、前記第１のガイド部材の端部にヒンジ結合されていることを特徴とする請求の範囲１ないし３のいずれかのシート材搬送装置。
【請求項５】
前記案内ガイド部材には、装置本体に形成され、前記ガイド部材の移動経路を規定する案内部材に案内される案内係止部を備えたことを特徴とする請求の範囲１ないし４のいずれかのシート材搬送装置。
【請求項６】
シート材束から１枚のシート材を分離するシート材分離手段を備えたことを特徴とする請求の範囲１ないし５のシート材搬送装置。
【請求項７】
前記シート材は原稿であり、請求の範囲１ないし６のいずれかのシート材搬送装置を備えたことを特徴とする原稿搬送装置。
【請求項８】
原稿の画像情報を読み取る原稿読取装置と請求の範囲７の原稿搬送装置とを備えたことを特徴とする原稿読取装置。
【請求項９】
請求の範囲７の原稿搬送装置と、原稿の画像情報を読み取る原稿読取装置と、画像情報に基づいて画像を形成する画像形成手段とを備えたことを特徴とする画像形成装置。
【請求項１０】
請求の範囲８の原稿読取装置と、画像情報に基づいて画像を形成する画像形成手段とを備えたことを特徴とする画像形成装置。
【発明の詳細な説明】
【技術分野】
【０００１】
本発明は、シート材搬送装置、原稿搬送装置、原稿読取装置、及びこれらを用いた画像形成装置に関する。
【背景技術】
【０００２】
複写機、ファクシミリ装置等の画像形成装置には、原稿を自動的に画像読取部に搬送する原稿搬送装置画が設けられている。このような原稿搬送装置として、読取部を固定して、原稿を搬送させながら画像を読取るシートスルータイプのものがある。シートスルータイプの原稿搬送装置として、原稿の両面に記録された画像情報をユーザの用紙反転処理を経ることなく行えるものがあり、このような両面読取可能な原稿読取装置は、原稿を読み取るときには、まず原稿の一面の画像情報を読取り、次に装置内部で原稿を反転させて原稿の他面の画像情報を読み取るようにしている。すなわち、一方の面画像を読み終えた原稿を反転部に送って原稿をスイッチバック反転し、その後、原稿を再び搬送部を経由して読取部へ搬送するのである。
【０００３】
このため、図１１に示すように、合流部分３００には原稿テーブルからの搬送経路３０１と、反転部からの搬送経路３０２が合流するように構成され、この合流部分３００には両搬送経路３０１，３０２を隔てる合流ガイド板３０３が配置されている。このようにして、合流ガイド板３０３の上部には、原稿テーブルからの搬送経路３０１が、合流ガイド板の下部には反転部からの搬送経路３０２が形成される。
【０００４】
しかし、前記合流部は、複雑な内部形状となっているため、原稿の紙詰まりが発生することがある。このため、ユーザが合流部に発生した紙詰まり（ジャム）を解消できるように、図１１に示すように、合流ガイド板３０３を上方へむけ開け、ユーザが紙詰まりを起こした原稿を取り除く処理ができる構造としている。
【０００５】
ここで、原稿搬送装置の原稿のジャムを解消する構成として特許文献１に記載のものがある。これは、原稿搬送装置を原稿読取時のジャムを容易に解除し、原稿の折れ、しわ、又は破損等を抑制防止することができるものとするため、原稿トレイから原稿読取部に搬送される原稿の経路となる主搬送経路と、原稿の両面読取時に表面の読取が完了した原稿をスイッチバックさせて主搬送経路に再度搬送する副搬送経路と、開放時には主搬送経路を分離し、閉塞時には主搬送経路を形成する回転可能な第一の開閉機構と、開放時には副搬送経路を分離し、閉塞時には副搬送経路を形成する回転可能な第二の開閉機構とを備えたものである。そして、第一の開閉機構の回転支点を、原稿トレイの反対側とするとともに、原稿の先端部と画像読取タイミングとを調整する原稿搬送用のＰＳローラ又はその付近としている。
【特許文献１】特開２００１−１１７２９２号公報
【発明の開示】
【発明が解決しようとする課題】
【０００６】
ところで、上述した合流部は、原稿ジャム解消時のユーザの視認性、作業性を良好なものとする必要があり、ユーザの作業領域を確保するとともにユーザの合流部への視界を妨げないよう、前記合流ガイド板をなるべく大きく移動できるようにすることが望ましい。
【０００７】
しかしながら、従来、原稿搬送経路のスペースの制約から図１０に示すように、ガイド版が下ガイド板３０４に接触しない程度に僅かに分離ガイド板を回転できるものであった。また、図１１に示すように、合流ガイド板３１１を下ガイド板３０４に接触しないように小さな幅寸法にし、合流ガイドを行う固定部３１２を形成しなければならず、合流部の視認性作業性が良好にならないという問題がある。
【０００８】
本発明は、原稿反転動作を行う原稿搬送装置において、シート搬送経路の合流部のジャム解消の作業性及び視認性に優れたシート搬送装置、原稿搬送装置、原稿読取装置、及びこれらを用いた画像形成装置を提供することを目的とする。
【課題を解決するための手段】
【０００９】
請求項１の発明は、シート載置部からのシート搬送経路と、シート反転部からの搬送経路が合流部分で合流し、この合流部分には両搬送経路を隔てる合流ガイド板が設けられているシート搬送装置において、前記合流ガイド板は装置本体に回動可能に取り付けられた第１のガイド板部材と、前記第１のガイド板部材に回動可能に取り付けられた第２のガイド板部材とを備えた。
【００１０】
請求項２の発明は、請求の範囲１のシート材搬送装置において、前記合流ガイド板の下流側には、シートを下流に導く下ガイド板を備え、前記第１のガイド板部材は回動時に前記下ガイド板に接触しない寸法に構成されたことを特徴とする。
【００１１】
請求項３の発明は、範囲１または２のシート材搬送装置において、前記第１のガイド板部材は、装置本体にヒンジ結合されていることを特徴とする。
【００１２】
請求項４の発明は、請求の範囲１ないし３のいずれかのシート材搬送装置において、前記第２のガイド部材は、前記第１のガイド部材の端部にヒンジ結合されていることを特徴とする。
【００１３】
請求項５の発明は、請求の範囲１ないし４のいずれかのシート材搬送装置において、前記案内ガイド部材には、装置本体に形成され、前記ガイド部材の移動経路を規定する案内部材に案内される案内係止部を備えたことを特徴とする。
【００１４】
請求項６の発明は、請求の範囲１ないし５のシート材搬送装置において、シート材束から１枚のシート材を分離するシート材分離手段を備えたことを特徴とする。
【００１５】
請求項７の発明は、原稿搬送装置において、前記シート材は原稿であり、請求の範囲１ないし６のいずれかのシート材搬送装置を備えたことを特徴とする。
【００１６】
請求項８の発明は、原稿読取装置において、原稿の画像情報を読み取る原稿読取装置と請求の範囲７の原稿搬送装置とを備えたことを特徴とする。
【００１７】
請求項９の発明は、画像形成装置において、請求の範囲７の原稿搬送装置と、原稿の画像情報を読み取る原稿読取装置と、画像情報に基づいて画像を形成する画像形成手段とを備えたことを特徴とする。
【００１８】
請求項１０の発明は、画像形成装置において、請求の範囲８の原稿読取装置と、画像情報に基づいて画像を形成する画像形成手段とを備えたことを特徴とする。
【発明の効果】
【００１９】
本発明によれば、原稿反転動作を行う原稿搬送装置において、シートの搬送経路が合流する合流部において、シートジャム解消の作業性及び視認性を優れたものとできる。
【発明を実施するための最良の形態】
【００２０】
以下本発明を実施するための最良の形態としての実施例を図面に基づいて説明する。
【実施例１】
【００２１】
以下本発明に係る画像形成装置の実施例を図面に基づいて説明する。図１は本発明が適用されるシートスルー方式の自動原稿送り装置を用いた画像形成装置の一例を示す斜視図、図２は実施例に係る画像形成装置の画像読取り装置を示す断面図である。
【００２２】
本実施例は、被読み取り原稿を固定の読み取り装置部に搬送し所定の速度で搬送しながら画像読み取りを行うものである。本例に係る画像形成装置５０は図１及び図２に示すように、被読み取り原稿束１をセットする原稿セット部Ａ、セットされた両面原稿束から一枚毎原稿を分離して給送する分離給送部Ｂ、輸送された原稿の表面を一次突当て整合する働きと、整合後の原稿を引き出し搬送する働きのレジスト部Ｃ、搬送される原稿をターンさせて、原稿面を読みとり側（下方）に向けて搬送するターン部Ｄ、原稿の画像を、スリットガラスの下方より読み取りを行わせる合流部分３００Ｅ、両面モード時では読み取り後の原稿の表裏を反転するための経路のスイッチバック部Ｆ、スイッチバック部Ｆでスイッチバックした原稿を再びＣ部に戻すための中間搬送部Ｇ、再びターン部Ｄから合流部分３００Ｅにより原稿の裏面を読み取り後一時原稿を待機させる下スイッチバック部Ｈ、下スイッチバック部Ｈより原稿を反転し機外に排出する反転排紙部Ｉ、読み取り完了後の原稿を積載保持するスタック部Ｊ、これら搬送動作の駆動を行う駆動部（図示しない）と更に、一連の動作を制御するコントローラ部（図示していない）とから構成されている。
【００２３】
読取りを行う原稿束１は、底板３を含む原稿テーブル２上で、原稿面を上向きの状態でセットされる。更に原稿束１の幅方向を図示しないサイドガイドによって搬送方向と直行する方向の位置決めを行う。原稿のセットは原稿セットフィラー４、原稿セットセンサ５により検知されＩ／Ｆにより図示しない本体制御部に送信される。
【００２４】
更に原稿テーブル面に設けられた原稿長さ検知センサ３２、３３、３４（反射型センサ又は、原稿１枚にても検知可能なアクチェーター・タイプのセンサが用いられる）により原稿の搬送方向長さの概略が判定される。ここでは、少なくとも同一原稿サイズの縦か横かを判断可能なセンサ配置が必要となる。
【００２５】
底板３は図示しない底板上昇モータの駆動から底板支持板３５の作用によりに矢印ａ、ｂ方向に上下動可能な構成になっており、原稿がセットされたことを前記原稿セットフィラー４及び原稿セットセンサ５により検知すると底板上昇モータを正転させて原稿束１の最上面がピックアップコロ７と接触するように底板３を上昇させる。
【００２６】
ピックアップコロ７は、図示しないピックアップモータによりカム機構で矢印ｃ、ｄ方向に動作すると共に底板３が上昇し、底板３上の原稿上面により押されてｃ方向に上がり底板上昇検知センサ８により上限を検知可能となっている。
【００２７】
本体操作部よりスタートキーが押下され、本体制御部からＩ／Ｆを介して図示しないＡＤＦコントローラに原稿搬送信号が送信されると、ピックアップコロ７は図示しない給紙モータの正転によりコロが回転駆動し、原稿テーブル２上の数枚（理想的には１枚）の原稿をピックアップする。回転方向は、最上位の原稿を搬送口に搬送する方向である。
【００２８】
搬送ベルト９は給紙モータの正転により搬送方向に駆動され、リバースローラ１０は搬送モータの正転により給紙と逆方向に回転駆動され最上位の原稿とその下の原稿を分離して、最上位の原稿のみを搬送できる構成となっている。
【００２９】
さらに詳しく説明すると、リバースローラ１０は搬送ベルト９と所定圧で接し、搬送ベルト９との直接接している時、又は原稿１枚を介して接している状態では搬送ベルト９の回転につられて反時計方向につれ回りし、原稿が万が一２枚以上搬送ベルト９とリバースローラ１０の間に侵入した時は連れ回り力がトルクリミツタのトルクよりも低くなるように設定されており、リバースローラ１０は本来の方向である時計方向に回転し、余分な原稿を押し戻す働きをし、重送が防止される。
【００３０】
搬送ベルト９とリバースローラ１０との作用により１枚に分離された原稿は搬送ベルト９によって更に送られ、突当てセンサ１１によって先端が検知され更に進んで、停止しているプルアウトローラ１２に突当たる。その後前出の突当てセンサ１１の検知から所定量定められた距離送られ、結果的には、プルアウトローラ１２に所定量読みを持って押し当てられた状態で給紙モータを停止させることにより搬送ベルト９の駆動が停止する。
【００３１】
この時、ピックアップモータを回転させることでピックアップコロ７を原稿上面から退避させ原稿を搬送ベルト９の搬送力のみで送ることにより、原稿先端は、プルアウトローラ１２の上下ローラ対のニップに進入し、先端の整合（スキュー補正）が行われる。
【００３２】
プルアウトローラ１２は、前記スキュー補正機能を有すると共に、分離後にスキュー補正された原稿を中間ローラ１４まで搬送するためのローラであり、給紙モータの逆転により駆動される。またこの時（給紙モータ逆転時）、プルアウトローラ１２と中間ローラ１４は駆動されるが、ピックアップコロ７と搬送ベルト９は駆動されていない。
【００３３】
原稿幅センサ１３は奥行き方向に複数個並べられ、プルアウトローラ１２により搬送された原稿の搬送方向に直行する幅方向のサイズを検知する。また、原稿の搬送方向の長さは原稿の先端後端を突当てセンサ１１で読み取ることによりモータパルスから原稿の長さを検知する。プルアウトローラ１２及び中間ローラ１４の駆動によりレジスト部Ｃからターン部Ｄに原稿が搬送される際には、レジスト部Ｃでの搬送速度を読取り搬送部Ｅでの搬送速度よりも高速に設定して原稿を読取り部へ送り込む処理時間の短縮が図られている。
【００３４】
原稿先端が読取入ロセンサ１５により検出されると、読取入口ローラ１６の上下ローラ対のニップに原稿先端が進入前に原稿搬送速度を読取り搬送速度と同速にする為に減速を開始すると同時に、図示しない読取モータを正転駆動して読取入口ローラ１６、読取ローラ１８、読取出口ローラ２１を駆動する。
【００３５】
原稿の先端をレジストセンサ１７にて検知すると読取モータのパルスカウントにより検出された原稿先端が読取部２０１に到達するタイミングで、本体制御部に対して画像面の副走査方向有効画像領域を示すゲート信号が読取り部２０１を原稿後端が抜けるまで送信される。
【００３６】
片面原稿読取りの場合には、下反転切替爪２２、上反転切替爪２８は実線で示す位置にあり、搬送部Ｅを通過した原稿はスタック部Ｊへ搬送される。この際、排紙センサ２１により原稿の先端を検知すると、図示しない排紙モータを逆転駆動して排紙ローラ２６を反時計方向に回転させる。また、排紙センサ２１による原稿の後端検知からの排紙モータのパルスカウントにより、原稿後端が排紙ローラ２６の上下ローラ対のニップから抜ける直前に排紙モータ駆動速度を減速させて、排紙トレイ２７上に排出される原稿が飛び出さないように制御される。
【００３７】
ここで片面原稿読み取り時の次原稿の先出し動作について説明する。
原稿の後端を突当てセンサ１１が検知すると搬送モータのパルスカウントにより原稿後端がプルアウトローラ１２を抜けたタイミングで搬送モータをー旦停止し再び正転方向に回転駆動する。
【００３８】
この動作により次原稿の給紙動作が開始される。この時中間ローラ１４の駆動は停止しているがタイミングプーリにはワンウェイクラッチが内蔵されているため中間ローラ１４は遠回りするようになっている。
【００３９】
給紙された次原稿はプルアウトローラ１２に突き当てられた状態で待機している。先行する原稿がある位置（本例では読取入ロセンサ１５を原稿後端が抜けてパルスカウントし読取入口ローラ１６近傍）に到達すると給紙モータを逆転駆動することにより次原稿がプルアウトローラ１２から搬送されるようになっている。
【００４０】
次に、両面原稿の読取の場合について説明する。原稿の第１面（表面）の読取り迄は前記と同じであるが先出し動作については第１面の読取動作中は行わず次原稿は原稿テーブル２上にある。
【００４１】
原稿の先端がレジストセンサ１７を通過すると上反転切替爪２８は図示しない両面切替爪ＳＯＬがＯＮすることによりのｉ→ｊ方向に移動する。原稿の第１面が合流部分３００Ｅの読取部２０１により読取られ下反転切替爪２２から排紙ローラ２６、上反転切替爪２８の上部を通りスイッチバック部Ｆに導かれる。
【００４２】
原稿の先端が排紙センサ２１を通過するタイミングで排紙モータを逆転駆動し排紙ローラ２６を反時計方向に回転させるのと同時に上反転モータを逆転駆動することにより上反転ローラ２９も反時計方向に回転させる。
【００４３】
排紙センサ２１により原稿の後端を検知すると排紙モータ、上反転モータは読取搬送速度よりも速くなるように増速され、読取モータは停止する。また、排紙センサ２１が原稿後端を検知後、排紙モータのパルスカウントにより原稿後端が排紙ローラ２６を抜けるタイミングで上反転切替爪２８は両面切替爪ＳＯＬをＯＦＦすることによりのｊ→ｉ方向に復帰する。
【００４４】
次に排紙センサ２１が原稿後端を検知して所定パルス後（両面切替爪ＳＯＬがＯＦＦするタイミングより遅く設定）に上反転モータを逆転駆動から正転駆動に切替えることで上反転ローラ２９は反時計方向から時計方向に回転方向が替わり原稿のスイッチバック動作が開始される。
【００４５】
このタイミングで給紙モータを逆転駆動することにより中継ローラ３１、プルアウトローラ１２、中間ローラ１４は送り方向に回転する。
【００４６】
原稿は中間搬送部Ｇを経て再びレジスト部Ｃ、ターン部Ｄへ送り込まれ、読取入ロセンサ１５が原稿の先端を検知すると給紙モータのパルスカウントにより所定の挑みを持って停止している読取入口ローラ１６に突当てられ給紙モータは一旦停止する。これにより原稿第２面読取時の先端の整合（スキュー補正）が行われる。
【００４７】
再び給紙モータを逆転駆動、読取モータを正転駆動することにより原稿は合流部分３００Ｅに送り込まれレジストセンサ１７が原稿の先端を検知すると下反転切替爪２２は図示しない下反転切替爪ＳＯＬをＯＮすることによりのｆ→ｅ方向に移動する。
【００４８】
次に読取部２０１により原稿の第２面の読取が開始され排紙センサ２１が原稿の先端を検知すると図示しない下反転モータを逆転駆動することにより下反転ローラ２４は反時計方向に回転し、原稿は下反転切替爪２２の下部を通過してスイッチバック部Ｆに導かれる。
【００４９】
第２面の読取が完了した原稿の後端を排紙センサ２１が検知すると下反転切替爪２２は下反転モータのパルスカウントにより下反転切替爪ＳＯＬをＯＦＦすることによりのｅ→ｆに復帰させるとともに下反転モータを停止させることにより原稿の後端を下反転ローラ２４に保持され待機状態となる。
【００５０】
ここで両面読取時の先出し動作について説明する。第１面の読取を完了した原稿がスイッチバック部Ｆから中間搬送部Ｇに搬送される時上反転センサ３０が原稿後端を検知すると給紙モータのパルスカウントで原稿後端がプルアウトローラ１２を抜けたタイミングで給紙モータの回転方向を逆転駆動から正転方向に切替え、次原稿の給紙が開始される。これ以降は片面読取時の場合と同じタイミング（紙間）にて動作する。
【００５１】
次原稿はレジスト部Ｃのプルアウトローラ１２で先端の整合が行われターン部Ｄより読取り搬送部Ｅに送り込まれる。
【００５２】
レジストセンサ１７が次原稿の先端を検知すると上反転切替爪２８はｉ→ｊに移動し読取部２０１で第１面を読取られながら読取出口ローラ２０、下反転切替爪２２の上部を通り、排紙ローラ２６、上反転切替爪２８の上部を経てスイッチバック部Ｆに搬送され上反転切替爪２８はｊ→ｉに復帰する。次原稿はこの後、前記と同ようの工程にて第２面の読取が行われる。
【００５３】
このような動作させることにより第１，２面の読取が完了し下スイッチバック部Ｈにて待機状態ある原稿を次原稿が追い抜く形となる。上記の上反転切替爪２８がｊ→ｉに復帰するタイミングで下反転排紙切替爪２３は下転切替爪ＳＯＬをＯＮすることによりｈ→ｇに移動させる。また、下反転モータを正転方に駆動することにより下反転ローラ２４は時計方向に回転し原稿を反転排紙部Ｉよりスタック部Ｊ搬送される。
【００５４】
原稿後端を下反転センサ２５で検知した後、下反転モータのパルスカウントで原稿後端が排紙ローラ２６に加えられたタイミングで下反転切替爪ＳＯＬをＯＦＦし、下反転排紙切替爪２３を（２）のｇ→ｈに復帰させる。
【００５５】
下反転センサ２５により原稿後端を検知すると片面排紙時と同ように排紙モータのパルスカウトにより、原稿後端が排紙ローラ２６の上下ローラ対のニップから抜ける直前に排紙モータ駆動度を減速させて、排紙トレイ２７上に排出される原稿が飛び出さないように制御される。以上の動作を所定の原稿枚数繰り返すことにより作業は完了する。
【００５６】
次に原稿搬送路の合流部Ｔに配置される合流部ガイド板について説明する。図３は実施例に係る画像読取装置の合流部の合流ガイド板１００を示す斜視図、図４は図３に示した合流ガイド板の取付状態を示す断面図、図５（ａ）〜（ｄ）は図３に示した合流ガイド板の動きを示す断面図である。本例では、原稿は、図４において分離搬送部からの原稿搬送経路Ｋと、スイッチバック部Ｆからのスイッチバック原稿搬送経路Ｌとが合流している。
【００５７】
本実施例に係る合流ガイド板１００は、軸部１０１ａが接続され、下ガイド板１０３が固着される装置本体に回動可能に取り付けられた第１のガイド板部材１０１と、この第１のガイド板部材１０１に軸部１０１ａで装置本体に回動可能に取り付けられた第２のガイド板部材１０２とを備えてなる。本例では、第１のガイド板部材１０１は、図４に示すように、上方向への下ガイド板１０３に接触しない寸法に構成されている。
【００５８】
本例では、第１のガイド板部材１０１と第２のガイド板部材１０２の連結部には、軸部１０２ａを中心に回転可能に構成されており、かつ第２のガイド板部材１０２の先端にストッパ１０２ｂを備え、第２のガイド板部材１０２の下方への回動を禁止し、第２のガイド板部材１０２が原稿搬送経路Ｋを塞がないようにしている。
【００５９】
本例に係る合流ガイド板１００は、図５に示すように、回動させることができる。すなわち、第１のガイド板部材１０１を開ける方向（図中矢印Ｎに示す）に回転させると（図５（ａ））、第１のガイド板部材１０１を少し開けた状態で、第２のガイド板部材１０２が下側のガイド板に接触しつつ軸部１０２ａを中心として、矢印Ｍ方向に回動する（同（ｂ））。さらに第１のガイド板部材１０１を矢印Ｎ方向に回動させると、合流ガイド板１００は完全に上方に跳ね上げられた状態となり（同（ｃ）、（ｄ））、原稿搬送経路Ｋとスイッチバック部Ｆからの原稿搬送経路Ｌとの合流部は上方から見通せる状態となる。
【００６０】
従って、本例によれば、原稿搬送路の合流部分で紙詰まり等が発生しても、原稿搬送経路の合流部の作業性及び視認性に優れたものとなっているから、ユーザはジャム状態を容易に解消できる。
【実施例２】
【００６１】
次に、本発明に係る第２の実施例を説明する。本例は、前記第１の実施例合流ガイド板の動きを案内するようにしたものである。図６は第２の実施例に係る画像読取装置の合流部の合流ガイド板を示す斜視図、図７は図６に示した合流ガイド板の取付状態を示す断面図、図８（ａ）〜（ｄ）は図６に示した合流ガイド板の動きを示す断面図である。
【００６２】
本例は、上記第１の実施例において、合流ガイド板１００を開状態から閉状態にするとき（図９矢印Ｐ）、第２のガイド板部材１０２が下ガイド板１０３に引っ掛かり、開状態にできなくなるのを防止するものである。
【００６３】
本例の合流ガイド板１１０は、図６に示すように体に、第２のガイド板部材１０２の先端部両側に突起部１０２ｃを形成すると共に、搬送ガイド板１０４の両側部位に前記突起部１０２ｃを支持して第２のガイド板部材１０２の動きを規制する案内部材１０５を配置したものである。なお、図中上記第１の実施例と同一の部分には同一の符号を付する。
【００６４】
本例に係る合流ガイド板１１０は、開状態（図８（ａ））から、閉状態（同（ｄ）に到まで、第２のガイド板部材１０２が下方に移動する際には、第２のガイド板部材１０２の突起部１０２ｃが案内部材１０５に案内され、下ガイド板１０３に接触することなく円滑に移動させることができる（同（ｂ）、（ｃ））。
【００６５】
従って、本例によれば、原稿搬送路の合流部分で紙詰まり等が発生しても、原稿搬送経路の合流部の作業性及び視認性に優れたものとなっている他、合流ガイド板の閉動作を円滑に行わせることができる。
【００６６】
なお、上記例では、シート部材として、原稿を対象とした例を説明したが、他のシート部材の搬送路の合流部において適用することができる。
【図面の簡単な説明】
【００６７】
【図１】本発明が適用されるシートスルー方式の自動原稿送り装置を用いた画像形成装置の一例を示す斜視図である。
【図２】実施例に係る画像形成装置の画像読取り装置を示す断面図である。
【図３】実施例に係る画像読取装置の合流部の合流ガイド板を示す斜視図である。
【図４】図３に示した合流ガイド板の取付状態を示す断面図である。
【図５】図３に示した合流ガイド板の動きを示す断面図であり、（ａ）〜（ｄ）は動作の状態を示す断面図である。。
【図６】第２の実施例に係る画像読取装置の合流部の合流ガイド板を示す斜視図である。
【図７】図６に示した合流ガイド板の取付状態を示す断面図である。
【図８】図６に示した合流ガイド板の動きを示す図であり、（ａ）〜（ｄ）は動作の状態を示す断面図である。
【図９】第２の実施例の説明図である。
【図１０】従来の画像形成装置における原稿の合流部を示す断面図である。
【図１１】従来の画像形成装置における原稿の合流部を示す断面図である。
【符号の説明】
【００６８】
１  原稿束
２  原稿テーブル
３  底板
４  原稿セットフィラー
５  原稿セットセンサ
７  ピックアップコロ
８  底板上昇検知センサ
９  搬送ベルト
１０  リバースローラ
１１  突当てセンサ
１２  プルアウトローラ
１３  原稿幅センサ
１４  中間ローラ
１５  読取入ロセンサ
１６  読取入口ローラ
１７  レジストセンサ
１８  読取ローラ
２０  読取出口ローラ
２１  読取出口ローラ
２１  排紙センサ
２２  下反転切替爪
２３  下反転排紙切替爪
２４  下反転ローラ
２５  下反転センサ
２６  排紙ローラ
２７  排紙トレイ
２８  上反転切替爪
２９  上反転ローラ
３０  時上反転センサ
３１  中継ローラ
３２、３３  原稿長さ検知センサ
３５  底板支持板
５０  画像形成装置
１００  合流ガイド板
１０１  第１のガイド板部材
１０１ａ  軸部
１０２  第２のガイド板部材
１０２ａ  軸部
１０２ｂ  ストッパ
１０２ｃ  突起部
１０３  下ガイド板
１０４  搬送ガイド板
１０５  案内部材
１１０  合流ガイド板
２０１  読取部
３００  合流部分
３０１，３０２  搬送経路
３０１  搬送経路
３０２  搬送経路
３０３  合流ガイド板
３０４  下ガイド板
３１１  合流ガイド板
３１２  固定部
Ａ  原稿セット部
Ｂ  分離給送部
Ｃ  レジスト部
Ｄ  ターン部
Ｅ  搬送部
Ｆ  スイッチバック部
Ｇ  中間搬送部
Ｈ  下スイッチバック部
Ｉ  反転排紙部
Ｊ  スタック部
【図１】
2006036514.tif 000003
【図２】
2006036514.tif 000004
【図３】
2006036514.tif 000005
【図４】
2006036514.tif 000006
【図５】
2006036514.tif 000007
【図６】
2006036514.tif 000008
【図７】
2006036514.tif 000009
【図８】
2006036514.tif 000010
【図９】
2006036514.tif 000011
【図１０】
2006036514.tif 000012
【図１１】
2006036514.tif 000013